(57)【要約】【課題】ドラム缶等のタンクに簡単に設置して使用することができ、オイルの小分けが容易になり、設備コストも安価になる簡易オイル供給装置を提供する。【解決手段】オイル１２を貯留したタンク１１の開口部１１ａから底に向けて挿入される吸引パイプ１４の端部に取り付けたオイル吸引用のプロペラポンプ１３と、タンク１１の上部に配置され吸引パイプ１４内を通した駆動軸によりプロペラポンプ１３を駆動するモータ１５と、プロペラモータ１３により吸引されるオイルを計量する流量計１６と、この流量計１６により計量されるオイル量を表示する表示器１７と、モータ１５の動作を制御する制御部２０とを備える。【選択図】      図１
2004359329.tif 000002
【特許請求の範囲】
【請求項１】
オイルを貯留したタンクの開口部から底に向けて挿入される吸引パイプの端部に取り付けたオイル吸引用のプロペラポンプと、前記タンクの上部に配置され吸引パイプ内を通した駆動軸により前記プロペラポンプを駆動するモータと、前記プロペラモータにより吸引されるオイルを計量する流量計と、この流量計により計量されるオイル量を表示する表示器と、前記モータの動作を制御する制御部とを備えたことを特徴とする簡易オイル供給装置。
【請求項２】
前記流量計は、容積式回転流量計であり、前記表示器は、該容積式回転流量計により駆動される軸に接続されていることを特徴とする請求項１記載の簡易オイル供給装置。
【発明の詳細な説明】
【０００１】
【発明の属する技術分野】
本発明は、ドラム缶等のタンクに貯留されるオイルを簡単に計量して供給できる簡易オイル供給装置に関するものである。
【０００２】
【従来の技術】
従来、小容量のガソリン、軽油、灯油あるいは潤滑用のオイル等を必要とする場合に、小型オイル缶をスーパーマーケット等において購入して使用することができる。これに対して、本出願人は、ペール缶等の比較的に容量の大きいオイル容器に入っているオイルを小分けして販売できるように、給油機構を内蔵し車輪により移動可能な本体部の上にオイル容器を載せ、このオイル容器内のオイルを給油機構により吸入計測して給油ノズルより給油するオイル計量機を開示している（例えば、特許文献１を参照）。
【０００３】
【特許文献１】
特開平１０−１９４３９５号公報（第２ページ、第１及び２図）
【０００４】
【発明が解決しようとする課題】
しかしながら、従来のオイル計量機では、ペール缶等のオイル容器に貯留されているオイルを給油機構により吸入計測して給油ノズルより給油することができるが、ドラム缶等の比較的に大型で移動して使用することのないタンクに貯留されたオイルを吸入計測して供給するには、機構が複雑になり高価になることがあった。
【０００５】
本発明は上記事情に鑑みなされたもので、ドラム缶等のタンクに簡単に設置して使用でき、オイルの小分けが容易になり、設備コストも安価になる簡易オイル供給装置を提供することを目的とする。
【０００６】
【課題を解決するための手段】
上記目的を達成するために請求項１に記載の発明にあっては、オイルを貯留したタンクの開口部から底に向けて挿入される吸引パイプの端部に取り付けたオイル吸引用のプロペラポンプと、前記タンクの上部に配置され吸引パイプ内を通した駆動軸により前記プロペラポンプを駆動するモータと、前記プロペラモータにより吸引されるオイルを計量する流量計と、この流量計により計量されるオイル量を表示する表示器と、前記モータの動作を制御する制御部とを備えたことを特徴とするものである。プロペラポンプをタンクのオイル内に配置しモータで駆動することで、ドラム缶等のタンクに簡単に設置して使用でき、オイルの小分けが容易になり、設備コストも安価になる。
【０００７】
請求項２に記載の発明にあっては、前記流量計は、容積式回転流量計であり、前記表示器は、該容積式回転流量計により駆動される軸に接続されていることを特徴とするものである。簡単に流量を計測して表示できる。
【０００８】
【発明の実施の形態】
以下、本発明を図示の一実施形態により具体的に説明する。図１〜図３は本発明実施形態の簡易オイル供給装置を説明する図であり、図１は簡易オイル供給装置の斜視図、図２は簡易オイル供給装置の側面断面図、図３は簡易オイル供給装置の機構を説明するブロック図である。
【０００９】
本実施形態の簡易オイル供給装置１０は、ドラム缶等のタンク１１に貯留された、例えば、ガソリン、軽油、灯油あるいは潤滑用のオイル１２等を吸引するとともに流量を計量して簡単に供給できる装置である。このタンク１１には、その上部に形成された開口部１１ａ等から、下端部にオイル吸引用のプロペラポンプ１３を取り付けた真直ぐな吸引パイプ１４がオイル１２内に挿入され、そのプロペラポンプ１３がタンク１１の底に位置するよう取り付けられる。この吸引パイプ１４内には、プロペラポンプ１３を駆動するための駆動軸が取り付けられ、この駆動軸が開口部１１ａの近傍のタンク１１上部に配置されたモータ１５に接続されて駆動されるようになっている。このプロペラポンプ１３によりタンク１１の底側から吸引パイプ１４を通って吸引されたオイルは、モータ１５の近傍に設けられたパイプ１８からオイルの流量計１６、この流量計１６に設けられた吐出パイプ１９、この吐出パイプ１９に接続された給油ホース２４を通って供給されるようになっている。
【００１０】
この流量計１６は、例えば、プロペラポンプ１３により吸引されるオイルの通過により、連続的接触する歯を有するロータの軸に設けられた流量パルス発信器のパルスを検知し、流量を計測する容積式回転流量計である。なお、本実施形態では、ロータの軸の回転をパルス信号で検知し、そのパルス信号を積算することで表示器１７に供給量を表示させているが、例えば、ロータの軸の回転を機械的に伝達して積算流量を表示するようにしてもよい。
【００１１】
また、タンク１１上部のモータ１５及び流量計１６の近傍には、モータ１５及び表示器１７を制御するための制御部２０が設けられている。この制御部２０は、操作部分に配置されたスタートスイッチ２１及びストップスイッチ２２と、これらスイッチ２１，２２によりモータ１５の動作開始及び停止を制御するとともに、流量計１６で検知される流量パルスに基づいて計測した流量を表示器１７に表示する制御を行う制御装置２３とから構成されている。
【００１２】
上記構成の簡易オイル供給装置１０では、まず、制御部２０のスタートスイッチ２１を押すと、表示器１７の表示が帰零され、モータ１５が始動して駆動軸を介してプロペラポンプ１３が駆動され、タンク１１内のオイル１２が底側から吸引パイプ１４に吸入され、パイプ１８、流量計１６、吐出パイプ１９を通って給油ホース２４から供給される。流量計１６は、オイルの通過によりパルス信号が発生し、このパルス信号が制御部２０の制御装置２３で積算され表示器１７に表示される。オイル１２の供給を停止するには、ストップスイッチ２２を押すと、モータ１５が停止してプロペラポンプ１３の駆動が停止する。したがって、タンク１１内のオイル１２を簡単に供給することができ、オイル１２の小分けが容易になる。また、この簡易オイル供給装置１０は、ドラム缶等の比較的に容量の大きく移動が困難なタンク１１であっても、下端部にプロペラポンプ１３を取り付けた真直ぐな吸引パイプ１４を上部からオイル１２内に挿入し、吸引パイプ１４内に配置された駆動軸を駆動するモータ１５、流量計１６、表示器１７及び制御部２０をタンク１１上部に簡単に設置できるため、設備コストも安価にできる。
【００１３】
なお、上記実施形態において、流量計１６は少なくとも積算流量を検出できるものであればよく任意の流量計を使用することができる。また、オイルの種類は限定されない。
【００１４】
【発明の効果】
以上説明したように本発明の簡易オイル供給装置では、オイルを貯留したタンクの開口部から底に向けて挿入される吸引パイプの端部に取り付けたオイル吸引用のプロペラポンプと、タンクの上部に配置され吸引パイプ内を通した駆動軸によりプロペラポンプを駆動するモータと、プロペラモータにより吸引されるオイルを計量する流量計と、この流量計により計量されるオイル量を表示する表示器と、モータの動作を制御する制御部とを備えたことで、ドラム缶等のタンクに簡単に設置して使用することができ、オイルの小分けが容易になり、設備コストも安価になる。
【図面の簡単な説明】
【図１】本発明実施形態の簡易オイル供給装置の斜視図である。
【図２】本発明実施形態の簡易オイル供給装置の側面断面図である。
【図３】本発明実施形態の簡易オイル供給装置の機構を説明するブロック図である。
【符号の説明】
１０  簡易オイル供給装置
１１  タンク
１１ａ  開口部
１２  オイル
１３  プロペラポンプ
１４  吸引パイプ
１５  モータ
１６  流量計
１７  表示器
１８  パイプ
１９  吐出パイプ
２０  制御部
２１  スタートスイッチ
２２  ストップスイッチ
２３  制御装置
【図１】
2004359329.tif 000003
【図２】
2004359329.tif 000004
【図３】
2004359329.tif 000005